(57)【要約】【課題】  最大トルクの大きな駆動源を必要とせずに、給紙カセット内に配設された押上板を簡易な構成にて十分な角度まで押し上げることができる給紙装置を提供する。【解決手段】  給紙カセット２３内に一端側が上下回動可能に支持され他端側が給紙カセット２３の用紙の給紙側の端部に位置するように配設され、その上面に用紙が積載される押上板２４と、押上板２４の下面と当接する当接部２８ｃ，２９ｃをその先端に備えた長さの異なるアーム８ｂ，２９ｂの基端側が駆動軸２７に固定された複数の押上アーム２８，２９と、を具備し、駆動軸２７の所定方向への回転に伴い、複数の押上アーム２８，２９のうちの短いアーム２８ｂを有する押上アーム２８から長いアーム２９ｂを有する押上アーム２９に順次切り換えて、押上板２４の他端側を上方へ回動させる。【選択図】  図３
2007062994.tif 000002
【特許請求の範囲】
【請求項１】
給紙カセット内に一端側が上下回動可能に支持され他端側が前記給紙カセットの用紙の給紙側の端部に位置するように配設され、その上面に用紙が積載される押上板と、
該押上板の下面と当接する当接部をその先端に備えた長さの異なるアームの基端側が駆動軸に固定された複数の押上アームと、を具備し、
前記駆動軸の所定方向への回転に伴い、前記複数の押上アームのうちの短いアームを有する押上アームから長いアームを有する押上アームに順次切り換えて、前記押上板の他端側を上方へ回動させることを特徴とする給紙装置。
【請求項２】
前記複数の押上アームの基端側は同じ駆動軸に固定されたものであることを特徴とする請求項１に記載の給紙装置。
【請求項３】
前記駆動軸の前記所定方向への回転に伴い、前記短いアームを有する押上アームから長いアームを有する押上アームへと順次当該駆動軸の回転に伴う回転を開始することを特徴とする請求項２に記載の給紙装置。
【発明の詳細な説明】
【技術分野】
【０００１】
本発明は、ファクシミリ、複写機等において、画像形成部に用紙を給紙する給紙装置、特に、押圧板を押し上げてその上面に積載する用紙をピックアップローラに接触させる給紙装置に関する。
【背景技術】
【０００２】
ファクシミリ、複写機等においては、画像形成部に用紙を給紙する給紙装置が適用される。このような給紙装置９００として、例えば図７（ａ）に示すように、ファクシミリ、複写機等に装着された給紙カセット９０１内に配設された押上板９０２の上面に積載された用紙をピックアップローラ９０３により繰り出して画像形成部に給紙するものがある。
【０００３】
押上板９０２は、一端側が上下回動可能に給紙カセット９０１に支持されており、給紙カセット９０１の用紙給紙側が押し上げられ、その上面に積載された最上位の用紙をピックアップローラ９０３に所定の押圧力で接触させている。この状態で、ピックアップローラ９０３が回転することにより、押上板９０２に積載された用紙が１枚ずつ繰り出される。一般的には、押上板９０２の用紙給紙側の下面と給紙カセット９０１の筐体との間にスプリング９０４を配設し、このスプリング９０４の付勢力により、押上板９０２を押し上げている。
【０００４】
しかしながら、近年、給紙カセット９０１に大量の用紙を収容可能とすることが望まれている。このような給紙カセット９０１においては、用紙が満載された場合と空紙に近い場合とによってスプリング９０４の長さが大きく異なるので、スプリング９０４の付勢力によって用紙をピックアップローラ９０３に常に適切な押圧力で接触させることは困難である。
【０００５】
そこで、例えば特許文献１には、図７（ｂ）に示すように、駆動源が発生する駆動力を利用して押上板９０２を押し上げる給紙装置９１０が開示されている。この給紙装置９１０は、駆動源であるモータ（不図示）により回転駆動する駆動軸９０５と、該駆動軸９０５に一体的に固定されて駆動軸９０５の回転により押上板９０２を押し上げる押上げアーム９０６、及び用紙の量を検知する手段（不図示）を設け、用紙の量が多い場合には高い電圧でモータを駆動させ、用紙の量が少ない場合には低い電圧でモータを駆動させることにより、押上板９０２を押し上げる駆動力（回転トルク）を制御し、用紙をピックアップローラ９０３に適切な押圧力で接触させている。
【特許文献１】特開平５−３３０６７１号公報
【発明の開示】
【発明が解決しようとする課題】
【０００６】
しかしながら、前記給紙装置９１０においては、用紙の量を検知する手段を設け、検知した用紙の量によって押上アーム９０６の駆動力を制御する必要があるので、給紙装置９１０の構成が複雑になるという問題があった。また、用紙が満載された押上板９０２を押し上げるためには、最大トルクの大きなモータを必要とし、このようなモータはコストと容積が大きいので、給紙装置９１０のコストと容積が大きくなるという問題があった。なお、押上アーム９０６のアーム長さＬ（回転中心と押上板９０２に対する押し上げ作用点との間の距離）を短くすることにより、押上板９０２の回転中心との距離を長くできるので、モータに必要とされるトルクを小さくすることは可能であるが、アーム長さＬを短くすると、押上板９０２の上昇可能な角度が小さくなるという問題があった。
【０００７】
本発明は、前記問題に鑑みてなされたものであり、最大トルクの大きな駆動源を必要とせずに、給紙カセット内に配設された押上板を簡易な構成にて十分な角度まで押し上げることができる給紙装置を提供することを目的とする。
【課題を解決するための手段】
【０００８】
上記目的を達成するために、請求項１に記載の給紙装置は、給紙カセット内に一端側が上下回動可能に支持され他端側が前記給紙カセットの用紙の給紙側の端部に位置するように配設され、その上面に用紙が積載される押上板と、該押上板の下面と当接する当接部をその先端に備えた長さの異なるアームの基端側が駆動軸に固定された複数の押上アームと、を具備し、前記駆動軸の所定方向への回転に伴い、前記複数の押上アームのうちの短いアームを有する押上アームから長いアームを有する押上アームに順次切り換えて、前記押上板の他端側を上方へ回動させることを特徴としている。
【０００９】
請求項２に記載の給紙装置は、請求項１に記載の給紙装置において、前記複数の押上アームの基端側は同じ駆動軸に支持されたものであることを特徴としている。
【００１０】
請求項３に記載の給紙装置は、請求項２に記載の給紙装置において、前記駆動軸の前記所定方向への回転に伴い、前記短いアームを有する押上アームから長いアームを有する押上アームへと順次当該駆動軸の回転に伴う回転を開始することを特徴としている。
【発明の効果】
【００１１】
請求項１に記載の給紙装置によれば、駆動軸の回転に伴い、短いアームを有する押上アームから長いアームを有する押上アームに順次切り換えて、押上板の下面に当接部を当接させながら当該押上アームを回転させることによって、押上板の他端側を上方へ回動させている。そのため、用紙が満載された押上板、あるいは大量の用紙を積載した押上板の他端側を上方へ回動させる場合、このような押上板は最初短いアームを有する押上アームの当接部が当接して上方に回動されるため、長いアームを有する押上アームの当接部によって上方に回動される場合に比べて、駆動軸を回転させる駆動力（回転トルク）を抑えることができる。また、短いアームを有する押上アームにより押上板の他端側を上方に回動させた後、順次長いアームを有する押上アームに切り換えて押上板の他端側を上方に回動させるので、押上板の他端側を十分に大きな角度まで上方に回動させることができる。
【００１２】
請求項２に記載の給紙装置によれば、複数の押上アームの基端側が同じ駆動軸に固定されるので、押上アームの基端側を固定する駆動軸を共通化し、給紙装置の構成部品を削減することができる。
【００１３】
請求項３に記載の給紙装置によれば、駆動軸の所定方向の回転に伴い、短いアームを有する押上アームから長いアームを有する押上アームへと順次当該駆動軸の回転に伴う回転を開始するので、駆動軸の所定方向の回転に伴い、短いアームを有する押上アームから長いアームを有する押上アームに順次切り換えて、押上板の他端側を上方へ回動させる構成を簡易なものとすることができる。
【発明を実施するための最良の形態】
【００１４】
以下、本発明の実施の形態に係る給紙装置をコピー機能、ファクシミリ機能を備える複合機に適用した場合について図面に基づき説明する。このコピー・ファクシミリ複合機（給紙装置）１００は、図１に示すように、原稿の画像データを読み取る原稿読取部１と、読み取り位置に原稿を自動的に搬送する自動原稿搬送手段（Auto Document Feeder、以下、「ＡＤＦ」という。）を備える原稿押えカバー２と、原稿の読み取り設定等を入力するための操作部３と、読み取った画像データから画像を形成して用紙に記録する画像形成部４と、用紙を収容するとともに用紙を画像形成部４に供給する給紙部５と、を具備している。コピー・ファクシミリ複合機１００は、図示しないが、画像データを電送するＣＯＤＥＣ等の送信部等も具備している。なお、該コピー・ファクシミリ複合機１００の構成は一例であり、原稿読取部１、原稿押えカバー２、操作部３、画像形成部４等の構成は任意のものである。
【００１５】
原稿読取部１は、図２に示すように、フラット・ベッド・スキャナ（以下、「ＦＢＳ」という。）として機能する読取載置台１０の内部に、原稿の画像を走査してそれを画像データとして読み取る読取デバイス１１を有する。この読取デバイス１１は、コピー機やファクシミリ装置等において一般的に用いられるものを使用することができ、具体的には、ＣＣＤを用いた電荷結合形イメージセンサ、あるいは密着形イメージセンサ等を使用することができる。そして、読取デバイス１１は、ＡＤＦにより搬送される原稿の画像を走査するために、ＡＤＦによる原稿の読み取り位置となるプラテンガラス１２ａ上を搬送される原稿の画像を下方から走査する。また、読取デバイス１１は、ＦＢＳとして機能する場合には、プラテンガラス１２ｂの下方にて水平方向に移動しつつ、このプラテンガラス１２ｂ上に載置される原稿の画像の走査を行う。
【００１６】
原稿押えカバー２は、読取載置台１０の上面に対して開閉可能に枢着されている。ＦＢＳが用いられる場合、原稿押えカバー２を閉じ、読取載置台１０に載置された原稿を原稿押圧板１３によってプラテンガラス１２ｂに圧接させる。また、原稿押えカバー２は、ＡＤＦとして機能する場合、原稿載置トレイ１４に載置された読み取り前の原稿を１枚ずつ分離して原稿搬送路１５に送り込み、読取デバイス１１による読み取り位置であるプラテンガラス１２ａ上に原稿を自動的に搬送する。さらに、画像を読み取った原稿を搬送し原稿排出トレイ１６に排出する。
【００１７】
操作部３は、使用者が動作指示や用紙サイズの設定等の入力を行なうための各種操作キーや動作や設定等を表示するための表示パネル等を備えるものであり、図１に示すように、原稿読取部１の前方に設けられている。
【００１８】
画像形成部４は、読取デバイス１１により読み取られて電気信号に変換された画像信号に対してアナログ／デジタル変換、シェーディング処理等を施した後、操作部３から入力された指示に従い、給紙部５から搬送された用紙に画像を形成し用紙排出トレイ１７へ搬送するものであり、原稿読取部１の直下に設けられている。画像形成部４は、その画像形成方式として電子写真方式、インクジェット記録方式や感熱記録方式等のこの分野で公知の各種の記録方式を用いることができる。画像形成部４は、図２に示すように、画像が記録された用紙を排出し、排出された用紙を用紙排出トレイ１７に収容する。また、画像形成部４は、給紙部５から搬送されてきた用紙を、感光体ドラムを含む各種機構を介して用紙排出トレイ１７へ、用紙搬送路１８に沿って搬送するための複数の搬送ローラ１９を備えている。
【００１９】
給紙部５は、用紙を収容するともに、操作部３から入力された用紙サイズの指示に従って繰り出された用紙を画像形成部４の用紙搬送路１８に送り出す複数の搬送ローラ２０を備え、画像形成部４の直下に設けられている。給紙部５は、用紙サイズに合わせ給紙ユニット２１が複数段積み重ねられて構成されており、各給紙ユニット２１は、給紙ユニット２１の筐体本体を構成するカセットケーシング２２と、該カセットケーシング２２に装着される給紙カセット２３と、からなっている。給紙カセット２３は、上面が開放された略直方体形状の筐体に、用紙がその上面に多数枚積載される押上板（可動トレイ）２４を上下回動可能に備えている。カセットケーシング２２には、押上板２４に積載された用紙を１枚ずつ繰り出す用紙繰出機構２５が配設されている。搬送ローラ２０は、用紙繰出機構２５から用紙が繰り出される方向の直下流に位置するようにカセットケーシング２２に配設されており、用紙繰出機構２５によって繰り出された用紙を用紙搬送路１８に送り出す。また、給紙カセット２３には、用紙の前後方向に移動自在に配設され用紙の後端を規制するエンドプレート２６や、用紙の左右方向に移動自在に配設され用紙の左右側端を規制する図示しないサイドプレートを備えており、これらのプレートを移動させることにより、サイズの異なった用紙を給紙カセット２３に収容することができる。
【００２０】
給紙部５を構成する最上段のカセットケーシング２２上に画像形成部４が配置されている。給紙部５を構成する複数のカセットケーシング２２は別個に構成されているが、これらのカセットケーシング２２を一体的に構成してもよく、また、カセットケーシング２２を画像形成部４等と一体的に構成してもよい。なお、図１に示すように、上側とは機台上方側を意味し、下側とは機台下方側を意味するものとする。また、手前側とは操作部３が位置する側を意味し、奥側とは手前側と反対の側を意味するものとする。
【００２１】
押上板２４は、図３に示すように、給紙カセット２３の底面の用紙給紙側（用紙先端側）に設けられた矩形状の開口２３ａと略同形であり、用紙をその上面に積載する底板２４ａを備えており、該平板は、押上板２４が水平な状態においては、開口２３ａ内に位置している。押上板２４の側壁２４ｂに貫設された孔が、給紙カセット２３の内側面（不図示）から内側に向かって突設された軸２３ｂに軸支されている。これにより、押圧板２４は、その一端側が上下回動可能に支持され、他端側が給紙カセット２３の用紙給紙側の端部に位置するように、給紙カセット２３内に配設されている。なお、給紙カセット２３は、押上板２４が水平状態から下方に回動することを規制する規制部（不図示）を備えている。
【００２２】
用紙繰出機構２５は、ピックアップローラ２５ａ、搬送ローラ２５ｂ及び分離ローラ２５ｃを備えている。ピックアップローラ２５ａは、押上板２４に積載された用紙の給紙側の上方に位置している。押上板２４の用紙給紙側が押し上げられ、押上板２４に積載された最上位の用紙がピックアップローラ２５ａに接触し、当該用紙をピックアップローラ２５ａが繰り出す。繰り出された用紙は搬送ローラ２５ｂに下流側に位置する搬送ローラ２０に向かって搬送され、分離ローラ２５ｃによって重送が防止されている。ピックアップローラ２５ａは、ギアやベルト（不図示）を介して搬送ローラ２５ｂの駆動軸に接続されている。該駆動軸は、駆動源（不図示）と電磁クラッチ（不図示）を介して接続されており、この駆動軸の回転に伴って、ピックアップローラ２５ａは、用紙の搬送方向に回転する搬送ローラ２５ｂとともに同方向に回転する。分離ローラ２５ｃは、駆動源（不図示）に接続され用紙の搬送方向とは逆方向に回転し、トルクリミッタ（不図示）のトルクにより生じる作動圧で搬送ローラ２５ｂに当接されている。分離ローラ２５ｃは、搬送ローラ２５ｂと直接当接するとき、または１枚の用紙が搬送ローラ２５ｂとの間に送り込まれたときには、リミッタトルクを超えてすべり、搬送ローラ２５ｂに従動回転する。一方、２枚以上の用紙が搬送ローラ２５ｂとの間に送り込まれたときには、リミッタトルクが用紙間の摩擦力に打ち勝ち、分離ローラ２５ｃを逆回転させ、下側の用紙を推し戻して、多数枚の送りを防止している。
【００２３】
給紙カセット２３の用紙給紙側の下方にて、図３及び図４に示すように、手前側から奥方に向かって延びる駆動軸２７がカセットケーシング２２（図２参照。）に軸支されている。駆動軸２７は、奥方にてトルクリミッタ（不図示）を介して駆動源であるモータ（不図示）に接続されている。モータと駆動軸２７との間には、クラッチや継手（不図示）が設けられており、モータから駆動軸２７への駆動力を伝達遮断することが可能となっている。給紙カセット２３がカセットケーシング２２に装着されているとき、駆動軸２７は、モータから駆動力が伝達され、モータの駆動に伴い時計方向に回転する。一方、給紙カセット２３をカセットケーシング２２から引き出したとき、モータと駆動軸２７との接続は解除される。この駆動軸２７には、押圧板２４の用紙給紙側をピックアップローラ２５ａに向けて上方に回動させる押上アーム（押上レバー）が支持されており、押上アームは第１の押上アーム２８と第２の押上アーム２９とからなっている。
【００２４】
第１の押上アーム２８は、その基端側の円筒形の支持部２８ａが駆動軸２７にピン（不図示）などにより固定されており、駆動軸２７の回転に伴って、駆動軸２７と一体的に回転する。第１の押上アーム２８は、支持部２８ａから延出する矩形平板状のアーム２８ｂを有している。アーム２８ｂは、その先端に上方に向かって断面円弧状に突出する突出部２８ｃを備えており、第１の押上アーム２８のアーム長さ、すなわち第１の押上アーム２８の回転中心である駆動軸２７の回転中心から突出部２８ｃまでの距離は、Ｌ１である。第１の押上アーム２８の突出部２８ｃは、押上板２４の用紙給紙側の下面と当接する。
【００２５】
第２の押上アーム２９は、駆動軸２７に対して所定角度θの遊びを持って固定されており、駆動軸２７が図示された位置から時計方向に角度θだけ回転するまで回転せず、その後の駆動軸２７のさらなる時計方向の回転により駆動軸２７と従って回転する。第２の押上アーム２９は、その基端側の２つの円筒形の支持部２９ａが第１の押上アーム２８の支持部２８ａを隙間を介して間に挟み駆動軸２７に支持されている。第２の押上アーム２９は、支持部２９ａから延出するアーム２９ｂを有しており、該アーム２９ｂは、第１の押上アーム２８のアーム２８ｂと略同形状の切欠を有する平板状である。アーム２９ｂは、その先端に上方に向かって断面円弧状に突出する突出部２９ｃを備えており、第２の押上アーム２９のアーム長さ、すなわち第２の押上アーム２９の回転中心である駆動軸２７の回転中心から突出部２９ｃまでの距離は、第１の押上アーム２８のアーム長さＬ１より長いＬ２である。第２の押上アーム２９の突出部２９ｃは、押上板２４の用紙給紙側の下面と、第１の押上アーム２８の突出部２８ｃが当接する位置より用紙後端側にて当接する。第２の押上アーム２９の支持部２９ａには、円周方向に沿って延びる長円形の穴２９ｄが貫設されており、該穴２９ｄを挿通する円柱状のピン２７ａが駆動軸２７に固定されている。これにより、第２の押上アーム２９は、駆動軸２７が回転する際、ピン２７ａが穴２９ｄ内を移動する範囲である角度θ以内の駆動軸２７の時計方向の回転にあっては駆動軸２７に従って回転せず、ピン２７ａが穴２９ｄの内壁に当接する角度θを超えた駆動軸２７の時計方向の回転にあっては、駆動軸２７に伴って回転する。
【００２６】
このような給紙カセット２３に用紙を収容するとき、図１を参照するように、該給紙カセット２３をカセットケーシング２２から引き出して、水平状態の押上板２４の上面に用紙を積載する。そして、給紙カセット２３をカセットケーシング２２内の所定の装着位置まで押し入れる。
【００２７】
給紙カセット２３をカセットケーシング２２内の所定の装着位置まで押し入れると、この状態をセンサ（不図示）が検知し、前記モータ（不図示）を通電駆動させる。モータは、所定の回転数及び所定のトルクで回転駆動し、モータに接続された駆動軸２７が時計方向に回転する。これにより、駆動軸２７に支持された第１及び第２の押上アーム２８，２９が回転して、押上板２４の用紙給紙側を押し上げ、押圧板２４を反時計方向（駆動軸２７の回転方向と反対方向）に回転させる。これにより、押上板２４に積載された最上位の用紙がピックアップローラ２５ａに接触する。そして、操作部３（図１参照。）からの用紙給紙の指示により前記電磁クラッチ（不図示）が接続され、当該用紙は、ピックアップローラ２５ａによって繰り出され、搬送ローラ２５ｂと分離ローラ２５ｃによって下流側へ搬送される。以下、第１及び第２の押上アーム２８，２９が押上板２４を押し上げる過程について説明する。
【００２８】
まず、給紙カセット２３がカセットケーシング２２に装着された初期状態（押上板２４が押し上がる前の水平状態）においては、図５（ａ）に示すように、第１の押上アーム２８の当接部２８ｃ及び第２の押上アーム２９の当接部２９ｃは、押上板２４の下面の下方に位置している。そして、モータの回転駆動により駆動軸２７が時計方向に回転すると、図５（ｂ）に示すように、駆動軸２７の回転に伴い第１の押上アーム２８が回転し、その当接部２８ｃが押上板２４の下面に当接しながら押上板２４の用紙給紙側を押し上げ、押上板２４に積載された最上位の用紙をピックアップローラ２５ａに接触させる。このとき、第２の押上アーム２９は回転しない。そして、ピックアップローラ２５ａにより用紙が順次繰り出され、押上板２４に積載された用紙が減少するに従い、モータの回転駆動により駆動軸２７がさらに時計方向に回転し、図５（ｃ）に示すように、図５（ａ）に示す初期状態から角度θ回転すると第２の押上アーム２９が回転を開始し、第１の押上アーム２８と第２の押上アーム２９とは、その間に一定の角度θを保ちながら、駆動軸２７の回転に伴い回転する。
【００２９】
その後、さらに押上板２４に積載された用紙が減少し、駆動軸２７が時計方向に回転して、図６（ａ）に示すように、押上板２４が上昇角度αまで押し上げられると、押上板２４の下面に当接する当接部が、第１の押上アーム２８の当接部２８ｃから第２の押上アーム２９の当接部２９ｃに切り換り、その後は、第１の押上アーム２８の当接部２８ｃは押上板２４の下面から離れる。さらに押上板２４に積載された用紙が減少し、駆動軸２７が時計方向に回転すると、図６（ｂ）及び図６（ｃ）に示すように、第２の押上アーム２９の当接部２９ｃのみが押上板２４の下面に当接しながら押上板２４を押し上げ続ける。
【００３０】
図６（ｃ）に示すように、押上板２４に積載された用紙が１枚となり、押上板２４の上昇角度が最大になったとき、第１及び第２の押上アーム２８，２９は垂直を超えるまでは回転していない。このため、給紙カセット２３がカセットケーシング２２から引き出されるときなど、駆動軸２７とモータとの接続が解除されると、押圧板２４が自重により水平状態まで下降し、第１及び第２の押上アーム２８，２９も駆動軸２７と共に図５（ａ）に示した初期状態に戻る。
【００３１】
このように、押上板２４を水平状態から所定の上昇角度αだけ押し上げるまでは、アーム長さＬ１の短い第１の押上アーム２８により、押上板２４を押し上げている。従って、用紙が満載された押上板２４、あるいは大量の用紙を積載した押上板２４を押し上げるために必要な回転トルク（第１の押上アーム２８に掛かる荷重×アーム長さＬ１）を抑えることができるので、第１の押上アーム２８を回転駆動する前記モータを最大トルクの小さなものとすることができる。また、押上板２４を上昇角度αからさらに上方に押し上げるときには、アーム長さＬ２の長い第２の押上アーム２９により、押上板２４を押し上げている。従って、積載された用紙が所定以下に減少している押上板２４を押し上げるために必要な回転トルク（第２の押上アーム２９に掛かる荷重×アーム長さＬ２）を抑えることができるので、第２の押上アーム２８を回転駆動する前記モータを最大トルクの小さなものとすることができる。さらに、第２の押上アーム２９はアーム長さＬ２が長いので、押上板２４を十分に大きな上昇角度まで上方に押し上げることができる。なお、第１及び第２の押上アーム２８，２９のアーム長さＬ１，Ｌ２や、第２の押上アーム２９の遊び角度θ等は、モータの最大トルクや押上板２４に積載される用紙の最大重量等によって適宜定めればよい。
【００３２】
なお、本実施の形態で示した給紙装置の構成は一例にすぎず、本発明の要旨を逸脱しない範囲内で適宜設計変更できることは勿論である。例えば、本実施の形態においては、アーム長さＬ１，Ｌ２の異なる２つの押上アーム２８，２９を設けたが、アーム長さの異なる３つ以上の押上アームを設けてもよい。この場合には、押上アームを回転駆動するモータに必要な最大トルクをさらに小さくすることが可能となる。また、第２の押上アーム２９を角度θの遊びを設けて駆動軸２７に固定したが、第２の押上アーム２９を第１の押上アーム２８から角度θだけ傾けて駆動軸２７に一体的に固定してもよい。ただし、この場合と比較すると本実施の形態は、給紙カセット２３の押上板２４の下方にスペース的な余裕が生ずるという利点がある。また、第１及び第２の押上アーム２８，２９を同じ駆動軸２７に固定したが、それぞれ異なる駆動軸に固定してもよい。ただし、この場合と比較すると本実施の形態は、駆動軸を共通化し構成部品を削減することができるという利点がある。
【００３３】
また、本実施の形態で示したコピー・ファクシミリ複合機１００の構成は、本発明に係る給紙装置を備えた一態様にすぎず、本発明の要旨を逸脱しない範囲内で適宜設計変更できることは勿論であり、例えば、コピー機やファクシミリ機等の単独機としても実現可能である。
【図面の簡単な説明】
【００３４】
【図１】本発明の実施の形態に係るコピー・ファクシミリ複合機１００の概略構成を示す斜視図である。
【図２】コピー・ファクシミリ複合機１００の構成を示す概略断面図である。
【図３】給紙カセット２３等を示す概略部分縦断面図である。
【図４】駆動軸２７と第１及び第２の押上アーム２８，２９を示す概略斜視図である。
【図５】（ａ）乃至（ｃ）は、押上板２４を上方に押し上げる過程を順に示す概略縦断面図である。
【図６】（ａ）乃至（ｃ）は、押上板２４をさらに上方に押し上げる過程を順に示す概略縦断面図である。
【図７】（ａ）は従来の給紙装置９００を、（ｂ）は従来の給紙装置９１０をそれぞれ示す概略縦断面図である。
【符号の説明】
【００３５】
２１  給紙ユニット（給紙装置）
２３  給紙カセット
２４  押上板
２５  用紙繰出機構
２５ａ  ピックアップローラ
２７  駆動軸
２８  第１の押上アーム
２８ｂ  アーム
２８ｃ  当接部
２９  第２の押上アーム
２９ｂ  アーム
２９ｃ  当接部
１００  コピー・ファクシミリ複合機（給紙装置）
【図１】
2007062994.tif 000003
【図２】
2007062994.tif 000004
【図３】
2007062994.tif 000005
【図４】
2007062994.tif 000006
【図５】
2007062994.tif 000007
【図６】
2007062994.tif 000008
【図７】
2007062994.tif 000009
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
給紙カセット内に一端側が上下回動可能に支持され他端側が前記給紙カセットの用紙の給紙側の端部に位置するように配設され、その上面に用紙が積載される押上板と、
該押上板の下面と当接する当接部をその先端に備えた長さの異なるアームの基端側が駆動軸に取り付けられた複数の押上アームと、を具備し、
前記駆動軸の所定方向への回転に伴い、前記複数の押上アームのうちの短いアームを有する押上アームから長いアームを有する押上アームに順次切り換えて、前記押上板の他端側を上方へ回動させることを特徴とする給紙装置。
【請求項２】
前記複数の押上アームの基端側は同じ駆動軸に取り付けられたものであることを特徴とする請求項１に記載の給紙装置。
【請求項３】
前記駆動軸の前記所定方向への回転に伴い、前記短いアームを有する押上アームから長いアームを有する押上アームへと順次当該駆動軸の回転に伴う回転を開始することを特徴とする請求項２に記載の給紙装置。
【手続補正２】
【補正対象書類名】明細書
【補正対象項目名】０００８
【補正方法】変更
【補正の内容】
【０００８】
上記目的を達成するために、請求項１に記載の給紙装置は、給紙カセット内に一端側が上下回動可能に支持され他端側が前記給紙カセットの用紙の給紙側の端部に位置するように配設され、その上面に用紙が積載される押上板と、該押上板の下面と当接する当接部をその先端に備えた長さの異なるアームの基端側が駆動軸に取り付けられた複数の押上アームと、を具備し、前記駆動軸の所定方向への回転に伴い、前記複数の押上アームのうちの短いアームを有する押上アームから長いアームを有する押上アームに順次切り換えて、前記押上板の他端側を上方へ回動させることを特徴としている。
【手続補正３】
【補正対象書類名】明細書
【補正対象項目名】０００９
【補正方法】変更
【補正の内容】
【０００９】
請求項２に記載の給紙装置は、請求項１に記載の給紙装置において、前記複数の押上アームの基端側は同じ駆動軸に取り付けられたものであることを特徴としている。
【手続補正４】
【補正対象書類名】明細書
【補正対象項目名】００１２
【補正方法】変更
【補正の内容】
【００１２】
請求項２に記載の給紙装置によれば、複数の押上アームの基端側が同じ駆動軸に取り付けられるので、押上アームの基端側を取り付ける駆動軸を共通化し、給紙装置の構成部品を削減することができる。
【手続補正５】
【補正対象書類名】明細書
【補正対象項目名】００２５
【補正方法】変更
【補正の内容】
【００２５】
第２の押上アーム２９は、駆動軸２７に対して所定角度θの遊びを持って取り付けられており、駆動軸２７が図示された位置から時計方向に角度θだけ回転するまで回転せず、その後の駆動軸２７のさらなる時計方向の回転により駆動軸２７と従って回転する。第２の押上アーム２９は、その基端側の２つの円筒形の支持部２９ａが第１の押上アーム２８の支持部２８ａを隙間を介して間に挟み駆動軸２７に支持されている。第２の押上アーム２９は、支持部２９ａから延出するアーム２９ｂを有しており、該アーム２９ｂは、第１の押上アーム２８のアーム２８ｂと略同形状の切欠を有する平板状である。アーム２９ｂは、その先端に上方に向かって断面円弧状に突出する突出部２９ｃを備えており、第２の押上アーム２９のアーム長さ、すなわち第２の押上アーム２９の回転中心である駆動軸２７の回転中心から突出部２９ｃまでの距離は、第１の押上アーム２８のアーム長さＬ１より長いＬ２である。第２の押上アーム２９の突出部２９ｃは、押上板２４の用紙給紙側の下面と、第１の押上アーム２８の突出部２８ｃが当接する位置より用紙後端側にて当接する。第２の押上アーム２９の支持部２９ａには、円周方向に沿って延びる長円形の穴２９ｄが貫設されており、該穴２９ｄを挿通する円柱状のピン２７ａが駆動軸２７に固定されている。これにより、第２の押上アーム２９は、駆動軸２７が回転する際、ピン２７ａが穴２９ｄ内を移動する範囲である角度θ以内の駆動軸２７の時計方向の回転にあっては駆動軸２７に従って回転せず、ピン２７ａが穴２９ｄの内壁に当接する角度θを超えた駆動軸２７の時計方向の回転にあっては、駆動軸２７に伴って回転する。
【手続補正６】
【補正対象書類名】明細書
【補正対象項目名】００３２
【補正方法】変更
【補正の内容】
【００３２】
なお、本実施の形態で示した給紙装置の構成は一例にすぎず、本発明の要旨を逸脱しない範囲内で適宜設計変更できることは勿論である。例えば、本実施の形態においては、アーム長さＬ１，Ｌ２の異なる２つの押上アーム２８，２９を設けたが、アーム長さの異なる３つ以上の押上アームを設けてもよい。この場合には、押上アームを回転駆動するモータに必要な最大トルクをさらに小さくすることが可能となる。また、第２の押上アーム２９を角度θの遊びを設けて駆動軸２７に取り付けたが、第２の押上アーム２９を第１の押上アーム２８から角度θだけ傾けて駆動軸２７に一体的に固定してもよい。ただし、この場合と比較すると本実施の形態は、給紙カセット２３の押上板２４の下方にスペース的な余裕が生ずるという利点がある。また、第１及び第２の押上アーム２８，２９を同じ駆動軸２７に取り付けたが、それぞれ異なる駆動軸に取り付けてもよい。ただし、この場合と比較すると本実施の形態は、駆動軸を共通化し構成部品を削減することができるという利点がある。